(57)【特許請求の範囲】
【請求項１】
アナログ回線に接続され、半二重通信方式及び全二重通信方式に従って通信を行う第１通信手段と、デジタル回線に接続され、全二重通信方式に従って通信を行う第２通信手段と、各回線毎の発信元情報を記憶する記憶手段と、前記第１通信手段から発呼したとき、送信先のファクシミリ装置が全二重通信方式である場合は、デジタル回線を示す発信元情報を送信する制御手段とを備えたファクシミリ装置。
【発明の詳細な説明】
【０００１】
【発明の属する技術分野】
本発明は、ＩＴＵ−Ｔ（International Telecommunication Union-Telecommunication）勧告によるＴ．３０（グループ３：Ｇ３機）、Ｔ．７０（グループ４：Ｇ４機）及びＴ．３０ＡｎｎｅｘＦ（スーパーＧ３機）の機能を備えたファクシミリ装置に関するものである。
【０００２】
【従来の技術】
近年、ＰＳＴＮ（Public Switch Telephone Network：公衆交換電話網）回線用のＧ３機に、ＩＳＤＮ（Integrated Services Digital Network：総合デジタル通信網）回線用のＧ４機能を加えたファクシミリ装置（Ｇ３＋Ｇ４機）が普及し始めている。このＧ４機能を用いれば、６４〔ｋｂｐｓ〕の通信速度でデータ通信を行うことができる。また、主にＰＳＴＮ回線での通信速度を向上させるためのＩＴＵ−Ｔ勧告におけるＶ．３４機能を備えたファクシミリ装置（スーパーＧ３機）も普及しつつある。このスーパーＧ３機を用いれば、最大３３．６〔ｋｂｐｓ〕の通信速度でデータ通信を行うことができる。このため、Ｇ３機にスーパーＧ３機能及びＧ４機能をオプションとして追加できるファクシミリ装置（Ｇ３＋スーパーＧ３＋Ｇ４機）も登場している。
【０００３】
ところで、ＰＳＴＮ回線はアナログ回線であるため、ノイズ等の影響を受けやすい。このため、コントロールチャンネルにおける頁間又はフレーム間制御時間において、通信速度が低下することがある。Ｇ３通信においては、１フレーム又は１頁の送信中に送受信間で発生したエラー数がカウントされ、エラー数が所定数以上の場合は、通信速度を下げてエラー数を減少させることがある。なお、スーパーＧ３通信では、前記Ｇ３通信時の機能に加えて、エラー数が所定数以下の場合は、通信速度を上げることも可能である。
【０００４】
一方、ＩＳＤＮ回線はデジタル回線であるため、ノイズ等の影響はほとんどない。このため、ＩＳＤＮ回線を介したスーパーＧ３機間の送受信においては、高速でデータ通信を行うことができる。
【０００５】
ところで、これらのファクシミリ装置においては、一般的に送信側の発信元情報（送信名、送信側のＦＡＸ番号、送信日付、送信時間、送信枚数等）を本文の画データとともに送信して、送信先における記録紙のヘッダ部分に記録させることができる。
【０００６】
【発明が解決しようとする課題】
ところで、Ｇ４機能を有するスーパーＧ３機は、ＩＳＤＮ回線を介して、Ｇ３機の通信速度に同期させて送受信することもできる。
【０００７】
図７（ａ）には、ＩＳＤＮ回線と接続されるスーパーＧ３機にＧ４機能を備えたファクシミリ装置（スーパーＧ３＋Ｇ４機）１０１と、ＰＳＴＮ回線と接続されるＧ３／スーパーＧ３機に、ＩＳＤＮ回線と接続されるスーパーＧ３機能及びＧ４機能を備えたファクシミリ装置（Ｇ３／スーパーＧ３＋スーパーＧ３＋Ｇ４機）１０２とを示している。Ｇ３／スーパーＧ３＋スーパーＧ３＋Ｇ４機１０２のＧ３／スーパーＧ３通信部からスーパーＧ３＋Ｇ４機１０１に対してＰＳＴＮ回線を介して発呼した場合、スーパーＧ３＋Ｇ４機１０１における記録紙のヘッダ部分には、Ｇ３／スーパーＧ３＋スーパーＧ３＋Ｇ４機１０２におけるＧ３／スーパーＧ３通信部のＦＡＸ番号「Ｂ」が記録される。その結果、記録されたＦＡＸ番号「Ｂ」に基づいて、スーパーＧ３＋Ｇ４機１０１からＧ３／スーパーＧ３＋スーパーＧ３＋Ｇ４機１０２に対して発呼する場合、Ｇ３／スーパーＧ３＋スーパーＧ３＋Ｇ４機１０２におけるＧ３／スーパーＧ３機に対して発呼されることになる。
【０００８】
このため、スーパーＧ３＋Ｇ４機１０１は、ＰＳＴＮ回線を介してスーパーＧ３でデータ通信を行うことになる。しかし、スーパーＧ３では最大３３．６〔ｋｂｐｓ〕の通信速度でデータが伝送されるが、このように高速の通信機能では、回線のノイズ等に弱く、実際の通信速度は、３３．６〔ｋｂｐｓ〕よりも低速となってしまいスーパーＧ３機能が十分に生かせない。
【０００９】
また、図７（ｂ）には、ＰＳＴＮ回線と接続されるＧ３機１０３と、ＰＳＴＮ回線と接続されるＧ３機にＩＳＤＮ回線と接続されるスーパーＧ３機能及びＧ４機能を備えたファクシミリ装置（Ｇ３＋スーパーＧ３＋Ｇ４機）１０４とを示している。
【００１０】
Ｇ３＋スーパーＧ３＋Ｇ４機１０４のスーパーＧ３＋Ｇ４通信部からＧ３機１０３に対してＩＳＤＮ回線からＰＳＴＮ回線を介して発呼した場合、Ｇ３機１０３における記録紙のヘッダ部分には、Ｇ３＋スーパーＧ３＋Ｇ４機１０４のＦＡＸ番号「Ｆ」が記録される。その結果、記録されたＦＡＸ番号「Ｆ」に基づいて、Ｇ３機１０３からＧ３＋スーパーＧ３＋Ｇ４機１０４に対して発呼する場合、スーパーＧ３＋Ｇ４通信部に対して発呼されることになる。
【００１１】
ところが、Ｇ３機のＦＡＸ番号「Ｅ」を受信専用にしたくても、スーパーＧ３＋Ｇ４通信部から発呼した場合、ＦＡＸ番号「Ｆ」が発信元情報として送信されるため、スーパーＧ３＋Ｇ４通信部で受信することとなってしまう。
【００１２】
本発明は、このような従来の技術に存在する問題点に着目してなされたものであって、送信先におけるファクシミリ装置の通信機能に応じて、有効に対応することが可能なファクシミリ装置を提供することにある。
【００１３】
【課題を解決するための手段】
上記の目的を達成するために、請求項１に記載の発明では、アナログ回線に接続され、半二重通信方式及び全二重通信方式に従って通信を行う第１通信手段と、デジタル回線に接続され、全二重通信方式に従って通信を行う第２通信手段と、各回線毎の発信元情報を記憶する記憶手段と、前記第１通信手段から発呼したとき、送信先のファクシミリ装置が全二重通信方式である場合は、デジタル回線を示す発信元情報を送信する制御手段とを備えた。
【００１５】
なお、以下に述べる発明の実施の形態において、特許請求の範囲または課題を解決するための手段に記載の「アナログ回線」はＰＳＴＮ回線Ｌ１に相当し、同じく「デジタル回線」はＩＳＤＮ回線Ｌ２に相当し、同じく「半二重通信方式」はＩＴＵ−Ｔ勧告Ｖ．１７、Ｖ．２７ｔｅｒ、Ｖ．２９に相当し、同じく「全二重通信方式」はＩＴＵ−Ｔ勧告Ｖ．８及びＶ．３４に相当し、同じく「第１通信手段」はＧ３／スーパーＧ３機２に相当し、同じく「第２通信手段」はオプション部３に相当し、同じく「記憶手段」はＲＡＭ１３に相当し、同じく「制御手段」はＭＰＵ１１，ＲＯＭ１２，ＲＡＭ１３，ＭＰＵ３１，ＲＯＭ３２及びＲＡＭ３３に相当する。
【００１６】
【発明の実施の形態】
以下に、本発明を具体化した一実施形態を図面を用いて説明する。
図１に示すように、ファクシミリ装置１は、Ｇ３／スーパーＧ３機２とスーパーＧ３＋Ｇ４機能部（以下、オプション部）３とから構成されている。
【００１７】
Ｇ３／スーパーＧ３機２は、ＭＰＵ１１、ＲＯＭ１２、ＲＡＭ１３、読取部１４、記録部１５、操作部１６、表示部１７、画像メモリ１８、コーデック１９、Ｇ３／スーパーＧ３用モデム２０及びＮＣＵ２１から構成されるとともに、各部１１〜２１がバス２２を介してそれぞれ接続されている。
【００１８】
ＭＰＵ１１は、Ｇ３／スーパーＧ３機２を構成する各部を制御するとともに、後述するＤＰＲＡＭ３８を介してＧ３／スーパーＧ３機２とオプション部３との間のデータ等も制御する。ＲＯＭ１２は、Ｇ３／スーパーＧ３機２を制御するためのプログラムを記憶する。ＲＡＭ１３は、Ｇ３／スーパーＧ３機２とオプション部３との送受信に関する各種情報を一時的に記憶する。また、ＲＡＭ１３は、ＰＳＴＮ回線Ｌ１の発信元情報（例えばＦＡＸ番号等）と、ＩＳＤＮ回線Ｌ２の発信元情報（例えばＦＡＸ番号等）とを記憶する。さらに、ＲＡＭ１３は、図２に示す短縮番号、ＦＡＸ番号、名称、通信モード等からなる短縮番号表Ｔ１を記憶する。
【００１９】
読取部１４は、原稿上の画像データを読み取って、白黒２値のイメージデータを出力する。記録部１５は、電子写真方式のプリンタよりなり、受信画データを記録紙上に記録する。
【００２０】
操作部１６は、電話番号を入力するためのテンキー（＊，＃キーを含む）１６ａ、短縮番号の登録、短縮番号から発信するするための短縮キー１６ｂ、原稿の読み取り動作を開始させるためのスタートキー１６ｃ、「Ｇ３」か「Ｇ４」かの通信モードを選択する、換言すれば「ＰＳＴＮ回線Ｌ１」か「ＩＳＤＮ回線Ｌ２」かを選択するための通信モードキー１６ｄ、短縮番号設定キー（図示略）等の各種操作キーを備えている。なお、本実施形態においては、通信モードが使用者によって、「Ｇ３（ＰＳＴＮ回線Ｌ１）」に設定されない限り、「Ｇ４（ＩＳＤＮ回線Ｌ２）」に常時設定されている。ＬＣＤ等よりなる表示部１７は、ファクシミリ装置１の動作状態等の各種情報の表示を行う。
【００２１】
画像メモリ１８は、受信画データや読取部１４で読み取られた画データを一時的に記憶する。コーデック１９は、読取部１４にて読み取られた画データを送信のためにＭＭＲ方式等により符号化（エンコード）する。また、コーデック１９は、受信画データを復号（デコード）する。
【００２２】
Ｇ３／スーパーＧ３用モデム２０は、Ｔ．３０に従ったファクシミリ制御手順及びＶ．１７，Ｖ．２７ｔｅｒ，Ｖ．２９のいずれか（以下、Ｖ．１７等）に従った送受信データの変調及び復調を行う。また、Ｇ３／スーパーＧ３用モデム２０は、Ｖ．８に従ったセッション開始手順及びＶ．３４に従った送受信データの変調及び復調を行う。ＮＣＵ２１は、ＰＳＴＮ回線Ｌ１の閉結及び開放を行うとともに、相手先のＦＡＸ番号に対応したダイヤルパルスの送出及び着信を検出する機能等を備えている。
【００２３】
オプション部３は、ＭＰＵ３１、ＲＯＭ３２、ＲＡＭ３３、ＬＡＰＢ３４、Ｇ３／スーパーＧ３用モデム３５、音声コーデック３６、Ｓインターフェース３７及びＤＰＲＡＭ３８から構成されるとともに、各部３１〜３８がバス３９を介してそれぞれ接続されている。
【００２４】
ＭＰＵ３１は、オプション部３を構成する各部を制御する。ＲＯＭ３２は、オプション部３を制御するためのプログラムを記憶する。ＲＡＭ３３は、オプション部３の送受信に関する各種情報を一時的に記憶する。
【００２５】
ＬＡＰＢ（Link Access Procedure Balanced：平衡型リンク・アクセス手順）３４は、Ｘ．２５パケット交換網用の平衡型伝送手順のためのものであって、ＯＳＩ（Open Sysytems Interconnection：開放型システム間相互接続）におけるデータリンク層（Data Link Layer：レイヤ２）において、Ｘ．２５パケット交換のほかにＩＳＤＮ回線Ｌ２のＢチャンネル・パケット交換等の機能を備えている。
【００２６】
Ｇ３／スーパーＧ３用モデム３５は、前記Ｇ３／スーパーＧ３用モデム２０と同様の機能を備えている。音声コーデック３６は、Ｇ３／スーパーＧ３用モデム３５にて変調及び復調された送受信データを音声データとみなして、ＩＴＵ−Ｔ勧告におけるＧ．７１２等に準拠した非線形量子化、すなわち符号化則（μ−ｌａｗ：μ法）に従ってＡ／Ｄ変換及びＤ／Ａ変換する。Ｓインターフェース３７は、図示しないＤＳＵ（Digital Service Unit：データ回線終端装置）との間において、音声コーデック３６からの送信画データの同期をとるとともに、ＩＳＤＮ回線Ｌ２からＤＳＵを介した受信画データを音声コーデック３６に送出する。
【００２７】
ＬＡＰＤ（Link Access Procedure on the D-channel：呼制御／情報転送手順）３７ａは、ＩＳＤＮ回線Ｌ２のＤチャンネル上の呼制御／情報転送用手順のためのものであって、前記ＬＡＰＢ３４と異なる点は、ＩＳＤＮ回線Ｌ２の物理層を考慮してＬＡＰＢ３４のポイント・ツー・ポイント型のほかに放送型（マルチポイント型：１対多）のデータリンクを加えたことと、ＩＳＤＮ回線Ｌ２のＤチャンネルが回線交換の呼制御信号とパケット交換伝送との両用となるため、多重ＬＡＰ（１物理インターフェースに同時に複数のデータリンクを張ること）機能を備えたことである。
【００２８】
ＤＰＲＡＭ３８は、Ｇ３／スーパーＧ３機２とオプション部３とを接続させるため、バス２２及びバス３９とに接続されている。従って、ＭＰＵ１１とＭＰＵ３１との間でのデータ転送等は、このＤＰＲＡＭ３８を介して行われる。
【００２９】
以上のように構成されたファクシミリ装置１において、図２に示す短縮番号等をＲＡＭ１３に登録するときの動作について説明する。
使用者によって、短縮番号設定キー（図示略）が押下されると、登録項目（短縮番号、ＦＡＸ番号、名称、通信モード）が順次、表示部１７に表示される。この表示に基づいて、操作部１６のテンキー１６ａからＦＡＸ番号等の各種データをキー入力すると、図２に示す短縮番号表Ｔ１がＲＡＭ１３に記憶される。
【００３０】
次に、ファクシミリ装置１から送信先に発呼するとき、送信する発信元情報の選択動作について、図３〜図６に示すフローチャートを用いて説明する。なお、このフローチャートにおいて、Ｓ５以降の動作はＲＯＭ１２及びＲＯＭ３２内に記憶されたプログラムに基づいて、ＭＰＵ１１及びＭＰＵ３１により実行される。
【００３１】
図３に示すＳ１においては、使用者により、原稿が読取部１４に載置される。Ｓ２においては、使用者により、通信モードが操作部１６の通信モードキー１６ｄによって設定される。すなわち、送信先に発呼する回線、「Ｇ３（ＰＳＴＮ回線Ｌ１）」か「Ｇ４（ＩＳＤＮ回線Ｌ２）」かが設定される。なお、通信モードは、使用者が通信モードキー１６ｄを操作しない限り、常時「Ｇ４（ＩＳＤＮ回線Ｌ２）」に設定されている。従って、通信モードキー１６ｄが操作されなければ、通信モードは「Ｇ４（ＩＳＤＮ回線Ｌ２）」が設定されることになる。
【００３２】
Ｓ３においては、使用者により、送信先のＦＡＸ番号が操作部１６のテンキー１６ａまたは短縮キー１６ｂ等から入力される。
Ｓ４においては、使用者により、スタートキー１６ｃが押下されるのが待たれる。
【００３３】
Ｓ５においては、読取部１４に載置された原稿の読み取りが開始され、読み取られたイメージデータがコーデック１９によって符号化され、画像メモリ１８に一旦記憶される。
【００３４】
Ｓ６においては、前記Ｓ３において入力されたＦＡＸ番号がＲＡＭ１３の短縮番号表Ｔ１に登録されているＦＡＸ番号であるか否かが判断される。短縮番号表Ｔ１に登録されているＦＡＸ番号の場合は、図４に示すＳ１１に移行する。一方、短縮番号表Ｔ１に登録されていないＦＡＸ番号の場合は、図５に示すＳ３１に移行する。
【００３５】
図４に示すＳ１１においては、前記Ｓ３において入力されたＦＡＸ番号に基づいて、図２に示す短縮番号表Ｔ１における「通信モード」の欄が「Ｇ４」か否かが判断される。「通信モード」の欄が「Ｇ４」の場合は、送信先のファクシミリ装置が「Ｇ４機」であると判断してＳ１２に移行する。一方、通信モードが「Ｇ４」でない場合は、送信先のファクシミリ装置がＧ４機でないと判断してＳ１６に移行する。
【００３６】
Ｓ１２においては、ＩＳＤＮ回線Ｌ２のＦＡＸ番号がＲＡＭ１３から選択されるとともに、通信モードが「Ｇ４」に設定される。すなわち、前記Ｓ２において、通信モードが「Ｇ３（ＰＳＴＮ回線Ｌ１）」に設定された場合であっても、図２に示す短縮番号表Ｔ１に基づいて、「Ｇ４（ＩＳＤＮ回線Ｌ２）」に設定される。そして、ＩＳＤＮ回線Ｌ２のＦＡＸ番号と、他の発信元情報（例えば送信日付、送信時間、送信枚数等）とを符号化し、それらのデータが前記Ｓ４において画像メモリ１８に記憶された各頁毎のヘッダ部分に追加される。
【００３７】
Ｓ１３においては、前記Ｓ３において入力されたＦＡＸ番号に対し、ＩＳＤＮ回線Ｌ２を介して発呼が行われる。
Ｓ１４においては、ＩＳＤＮ回線を介してＧ４手順が開始される。
【００３８】
Ｓ１５においては、画像メモリ１８に記憶された画データが、ＩＳＤＮ回線Ｌ２を介してベースバンド伝送方式に従って送信され、この処理が終了される。
Ｓ１６においては、前記Ｓ３において入力されたＦＡＸ番号に基づいて、図２に示す短縮番号表Ｔ１における「通信モード」の欄が「スーパーＧ３」か否かが判断される。「通信モード」の欄が「スーパーＧ３」の場合は、送信先のファクシミリ装置が「スーパーＧ３機」であると判断してＳ１７に移行する。一方、通信モードが「スーパーＧ３」でない場合は、送信先のファクシミリ装置がＧ３機であると判断してＳ２１に移行する。
【００３９】
Ｓ１７においては、ＩＳＤＮ回線Ｌ２のＦＡＸ番号がＲＡＭ１３から選択されるとともに、通信モードが「Ｇ４（ＩＳＤＮ回線Ｌ２）」に設定される。すなわち、前記Ｓ２において、通信モードが「Ｇ３（ＰＳＴＮ回線Ｌ１）」に設定された場合であっても、図２に示す短縮番号表Ｔ１に基づいて、「Ｇ４（ＩＳＤＮ回線Ｌ２）」に設定される。そして、ＩＳＤＮ回線Ｌ２のＦＡＸ番号と、他の発信元情報（例えば送信日付、送信時間、送信枚数等）とを符号化し、それらのデータが前記Ｓ４において画像メモリ１８に記憶された各頁毎のヘッダ部分に追加される。
【００４０】
Ｓ１８においては、前記Ｓ３において入力されたＦＡＸ番号に対し、ＩＳＤＮ回線Ｌ２を介して発呼が行われる。
Ｓ１９においては、データ伝送のセッション開始手順（Ｖ．８）が開始される。
【００４１】
Ｓ２０においては、画像メモリ１８に記憶された画データがＧ３／スーパーＧ３用モデム３５で変調され、音声コーデック３６によってデジタル変換されるとともに、ＩＳＤＮ回線Ｌ２を介してベースバンド伝送方式に従って送信され、この処理が終了される。
【００４２】
Ｓ２１においては、ＰＳＴＮ回線Ｌ１のＦＡＸ番号がＲＡＭ１３から選択されるとともに、通信モードが「Ｇ４（ＩＳＤＮ回線Ｌ２）」に設定される。すなわち、前記Ｓ２において、通信モードが「Ｇ３（ＰＳＴＮ回線Ｌ１）」に設定された場合であっても、図２に示す短縮番号表Ｔ１に基づいて、「Ｇ４（ＩＳＤＮ回線Ｌ２）」に設定される。そして、ＰＳＴＮ回線Ｌ１のＦＡＸ番号と、他の発信元情報（例えば送信日付、送信時間、送信枚数等）とを符号化し、それらのデータが前記Ｓ４において画像メモリ１８に記憶された各頁毎のヘッダ部分に追加される。
【００４３】
Ｓ２２においては、前記Ｓ３において入力されたＦＡＸ番号に対し、ＩＳＤＮ回線Ｌ２を介して発呼が行われる。
Ｓ２３においては、ファクシミリ伝送制御手順（Ｔ．３０）が開始される。
【００４４】
Ｓ２４においては、画像メモリ１８に記憶された画データが音声コーデック３６によってデジタル変換されるとともに、ＩＳＤＮ回線Ｌ２を介してベースバンド伝送方式に従って送信され、この処理が終了される。
【００４５】
図５に示すＳ３１においては、前記Ｓ２において通信モードキー１６ｄによる通信モードの設定が「Ｇ４（ＩＳＤＮ回線Ｌ２）」であるか否かが判断される。通信モードが「Ｇ４（ＩＳＤＮ回線Ｌ２）」である場合は、Ｓ３２に移行する。一方、通信モードが「Ｇ４（ＩＳＤＮ回線Ｌ２）」でない場合、すなわち、「Ｇ３（ＰＳＴＮ回線Ｌ１）」の場合は、図６に示すＳ５１に移行する。
【００４６】
Ｓ３２においては、前記Ｓ３において入力されたＦＡＸ番号に対し、ＩＳＤＮ回線Ｌ２を介して発呼が行われる。
Ｓ３３においては、ＩＳＤＮ回線を介してＧ４手順が開始される。
【００４７】
Ｓ３４においては、送信先との間において、ＩＳＤＮ回線Ｌ２の回線断が発生したか否かが判断される。すなわち、送信先のファクシミリ装置がＧ４機でない場合はＧ４手順（例えば呼設定等）が成立せず、回線断が発生する。このため、回線断が発生しない場合、換言すれば送信先のファクシミリ装置がＧ４機であった場合はＳ３５に移行する。一方、回線断が発生した場合、換言すれば送信先のファクシミリ装置がＧ４機でなかった場合は、送信先のファクシミリ装置がスーパーＧ３機又はＧ３機と判断して、Ｓ３７に移行する。
【００４８】
Ｓ３５においては、ＩＳＤＮ回線Ｌ２のＦＡＸ番号がＲＡＭ１３から選択される。そして、ＩＳＤＮ回線Ｌ２のＦＡＸ番号と、他の発信元情報（例えば送信日付、送信時間、送信枚数等）とを符号化し、それらのデータが前記Ｓ４において画像メモリ１８に記憶された各頁毎のヘッダ部分に追加される。
【００４９】
Ｓ３６においては、画像メモリ１８に記憶された画データが音声コーデック３６によってデジタル変換されるとともに、ＩＳＤＮ回線Ｌ２を介してベースバンド伝送方式に従って送信され、この処理が終了される。
【００５０】
Ｓ３７においては、前記Ｓ３４において回線断が発生したため、前記Ｓ３において入力されたＦＡＸ番号に対し、ＩＳＤＮ回線Ｌ２を介して再度発呼が行われる。
【００５１】
Ｓ３８においては、ファクシミリ伝送制御手順として、まず無信号を示す信号が送信先に対して送出される。
Ｓ３９においては、Ｇ３／スーパーＧ３用モデム３５が送信先からＶ．８の機能を示すＡＮＳａｍ信号を検出したか否かが判断される。ＡＮＳａｍ信号を検出した場合はＳ４０に移行する。一方、ＡＮＳａｍ信号を検出しない場合、換言すればＴ．３０のＣＥＤ信号を検出した場合はＳ４２に移行する。
【００５２】
Ｓ４０においては、ＩＳＤＮ回線Ｌ２のＦＡＸ番号と、他の発信元情報（例えば送信日付、送信時間、送信枚数等）とを符号化し、それらのデータが前記Ｓ４において画像メモリ１８に記憶された各頁毎のヘッダ部分に追加される。
【００５３】
Ｓ４１においては、画像メモリ１８に記憶された画データが音声コーデック３６によってデジタル変換されるとともに、ＩＳＤＮ回線Ｌ２を介してベースバンド伝送方式に従って送信され、この処理が終了される。
【００５４】
Ｓ４２においては、ＰＳＴＮ回線Ｌ１のＦＡＸ番号と、他の発信元情報（例えば送信日付、送信時間、送信枚数等）とを符号化し、それらのデータが前記Ｓ４において画像メモリ１８に記憶された各頁毎のヘッダ部分に追加される。
【００５５】
Ｓ４３においては、画像メモリ１８に記憶された画データが音声コーデック３６によってデジタル変換されるとともに、ＩＳＤＮ回線Ｌ２を介してベースバンド伝送方式に従って送信され、この処理が終了される。
【００５６】
図６に示すＳ５１においては、前記Ｓ３において入力されたＦＡＸ番号に対し、ＰＳＴＮ回線Ｌ１から発呼が行われる。
Ｓ５２においては、ファクシミリ伝送制御手順として、まず無信号を示す信号が送信先に対して送出される。
【００５７】
Ｓ５３においては、Ｇ３／スーパーＧ３用モデム２０が送信先からＶ．８の機能を示すＡＮＳａｍ信号を検出したか否かが判断される。ＡＮＳａｍ信号を検出した場合はＳ５４に移行する。一方、ＡＮＳａｍ信号を検出しない場合、換言すればＴ．３０のＣＥＤ信号を検出した場合はＳ５６に移行する。
【００５８】
Ｓ５４においては、ＩＳＤＮ回線Ｌ２のＦＡＸ番号と、他の発信元情報（例えば送信日付、送信時間、送信枚数等）とを符号化し、それらのデータが前記Ｓ４において画像メモリ１８に記憶された各頁毎のヘッダ部分に追加される。
【００５９】
Ｓ５５においては、画像メモリ１８に記憶された画データがＶ．３４に従って送信先にＰＳＴＮ回線Ｌ１を介して送信される。
Ｓ５６においては、通信モードを「Ｇ３（ＰＳＴＮ回線Ｌ１）」から「Ｇ４（ＩＳＤＮ回線Ｌ２）」に再度設定され、この処理が終了される。
【００６０】
Ｓ５７においては、ＰＳＴＮ回線Ｌ１のＦＡＸ番号と、他の発信元情報（例えば送信日付、送信時間、送信枚数等）とを符号化し、それらのデータが前記Ｓ４において画像メモリ１８に記憶された各頁毎のヘッダ部分に追加される。
【００６１】
Ｓ５８においては、画像メモリ１８に記憶された画データがＶ．１７等に従って送信先にＰＳＴＮ回線Ｌ１を介して送信される。
Ｓ５９においては、通信モードを「Ｇ３（ＰＳＴＮ回線Ｌ１）」から「Ｇ４（ＩＳＤＮ回線Ｌ２）」に再度設定され、この処理が終了される。
【００６２】
以上、詳述したように本実施形態によれば、次のような作用、効果を得ることができる。
・短縮番号表Ｔ１に登録されていないＦＡＸ番号が入力された場合であって、通信モードが「Ｇ３（ＰＳＴＮ回線Ｌ１）」及び「Ｇ４（ＩＳＤＮ回線Ｌ２）」であっても、図５に示すＳ３９及び図６に示すＳ５３に示すように、送信先からの「スーパーＧ３」を示すＡＮＳａｍ信号がＧ３／スーパーＧ３用モデム２０及びＧ３／スーパーＧ３用モデム３５にて検出されるか否かが判断される。そして、ＡＮＳａｍ信号が検出された場合は、図５に示すＳ４０及び図６に示すＳ５４に示すように、ＩＳＤＮ回線Ｌ２のＦＡＸ番号等が発信元情報として選択される。このため、送信先にはＩＳＤＮ回線Ｌ２の発信元情報が送信される。その結果、送信先からの画データをオプション部３によって受信することができる。従って、送信先との間のファクシミリ通信を高速、且つ安定に行うことができる。
【００６３】
一方、ＡＮＳａｍ信号が検出されない場合は、ＰＳＴＮ回線Ｌ１のＦＡＸ番号等が発信元情報として選択される。その結果、ＰＳＴＮ回線Ｌ１の発信元情報に基づいて、送信先からの画データはＧ３／スーパーＧ３機２で受信される。
【００６４】
従って、送信先の通信機能に適応した発信元情報を送信することができる。換言すれば、送信先のファクシミリ機能に応じて、受信したい回線を示す発信元情報を送信することができる。従って、送信先のファクシミリ機能に応じて自身が受信したい回線を指定することができる。故に、送信先におけるファクシミリ装置の通信機能に応じて、発信側のファクシミリ装置１を有効に対応させることができる。
【００６５】
・図４のＳ１６〜Ｓ２４に示すように、図２に示す短縮番号表Ｔ１に登録されている通信モードが「スーパーＧ３」または「Ｇ３」であっても、Ｇ３／スーパーＧ３用モデム３５から送信先にＩＳＤＮ回線Ｌ２を介して送信している。また、図５のＳ３７〜Ｓ４３に示すように、図２に示す短縮番号表Ｔ１に登録されていないＦＡＸ番号であって、且つ前記Ｓ２において通信モードが「Ｇ４（ＩＳＤＮ回線Ｌ２）」に設定されていれば、Ｇ３／スーパーＧ３用モデム３５からＩＳＤＮ回線Ｌ２を介して送信している。従って、送信先との間のファクシミリ通信を高速、且つ安定に行うことができる。
【００６６】
・使用者によって、常時「Ｇ４（ＩＳＤＮ回線Ｌ２）」に設定されている通信モードが「Ｇ３（ＰＳＴＮ回線Ｌ１）」に設定された場合であっても、送信終了後は、「Ｇ４（ＩＳＤＮ回線Ｌ２）」に自動復帰される。このため、次にファクシミリ装置１を使用する人が、通信モードを確認することなく、すぐに「Ｇ４（ＩＳＤＮ回線Ｌ２）」から発呼することができて簡便である。
【００６７】
なお、本実施形態は、次のように変更して具体化することも可能である。
・図４に示すＳ１２及びＳ１７、図５に示すＳ３５及びＳ４０、図６に示すＳ５４において、ＩＳＤＮ回線Ｌ２のＦＡＸ番号を示す発信元情報を設定するのに代えて、ＰＳＴＮ回線Ｌ１を示す発信元情報を設定しても良い。このように構成すれば、ＰＳＴＮ回線Ｌ１に接続されるＧ３／スーパーＧ３機２を受信専用とすることができる。その結果、ＩＳＤＮ回線Ｌ２に接続されるオプション部３を送信専用とすることができる。従って、送信する場合は、送信先のファクシミリ機能に応じて、高速で安定したファクシミリ通信を行うことができる。よって、Ｇ３／スーパーＧ３機２とオプション部３とを有効に利用することができる。なお、この場合、図１に示すＧ３／スーパーＧ３用モデム２０は、Ｇ３用モデムであっても良い。
【００６８】
・短縮番号表Ｔ１に基づいて送信先に発呼する場合、送信先が「スーパーＧ３」又は「Ｇ３」の場合は、すなわち、図４に示すＳ１８及びＳ２２において、ＰＳＴＮ回線Ｌ１を介して送信先に発呼するように構成しても良い。また、図５に示すＳ３４における回線断が発生した場合において、すなわち、図５に示すＳ３７において発呼する場合、ＰＳＴＮ回線Ｌ１を介して送信先に発呼するように構成しても良い。
【００６９】
・過去の短縮番号表Ｔ１に登録されているＦＡＸ番号か否かの判断を、ＦＡＸ番号に代えて短縮番号を用いても良い。すなわち、短縮キー１６ｂに続いて押下される短縮番号に基づいて、図２に示す短縮番号表Ｔ１における「通信モード」の欄が「Ｇ４」か「スーパーＧ３」か「Ｇ３」かを判断しても良い。
【００７０】
さらに、上記実施形態より把握される請求項以外の技術的思想について、以下にそれらの効果と共に記載する。
・アナログ回線に接続され、半二重通信方式に従って通信を行う第１通信手段と、デジタル回線に接続され、全二重通信方式に従って通信を行う第２通信手段と、各回線毎のＦＡＸ番号を記憶する記憶手段と、アナログ回線を示す発信元情報を送信する制御手段とを備えたファクシミリ装置。
【００７１】
このように構成すれば、図１に示すＧ３／スーパーＧ３用モデム２０がＧ３用モデムとなる。そして、ＰＳＴＮ回線Ｌ１に接続されるＧ３機を受信専用とすることができるため、ＩＳＤＮ回線Ｌ２に接続されるオプション部３から送信する場合は、高速で安定したファクシミリ通信を行うことができる。
【００７２】
【発明の効果】
本発明は、以上のように構成されているため、次のような効果を奏する。
請求項１に記載の発明によれば、送信先におけるファクシミリ装置の通信機能に応じた回線を指定することができる。従って、通信機能を有効に対応させることが可能なファクシミリ装置を提供することができる。
【図面の簡単な説明】
【図１】一実施形態のファクシミリ装置のブロック図。
【図２】同じく、ＲＡＭに記憶された短縮番号表を示す説明図。
【図３】同じく、発信元情報を選択する動作を示すフローチャート。
【図４】同じく、発信元情報を選択する動作を示すフローチャート。
【図５】同じく、発信元情報を選択する動作を示すフローチャート。
【図６】同じく、発信元情報を選択する動作を示すフローチャート。
【図７】従来の技術を説明するための説明図。
【符号の説明】
１…ファクシミリ装置、２…第１通信手段としてのＧ３／スーパーＧ３機、３…第２通信手段としてのスーパーＧ３＋Ｇ４機能部（オプション部）、１１…制御手段を構成するＭＰＵ、１２…制御手段を構成するＲＯＭ、１３…記憶手段及び制御手段を構成するＲＡＭ、３１…制御手段を構成するＭＰＵ、３２…制御手段を構成するＲＯＭ、３３…制御手段を構成するＲＡＭ、Ｌ１…アナログ回線としてのＰＳＴＮ回線、Ｌ２…デジタル回線としてのＩＳＤＮ回線。
【図１】
0003648934.tif 000002
【図２】
0003648934.tif 000003
【図３】
0003648934.tif 000004
【図４】
0003648934.tif 000005
【図５】
0003648934.tif 000006
【図６】
0003648934.tif 000007
【図７】
0003648934.tif 000008